(57)【要約】【課題】水切りや乾燥を十分に行うことができ衛生的に良好な、しかも置き場所を要さず便利であり、見た目も趣向に富んだ洗浄用スポンジを提供することである。【解決手段】表面層１１、中間層１２、裏面層１３よりなる三層構造の洗浄用スポンジ１０において、前記中間層１２に洗浄剤容器の頭部を挿入するための挿入穴１２ａを設けたのである。【選択図】図１
0003108377.tif 000002
【実用新案登録請求の範囲】
【請求項１】
少なくとも表面層、中間層、裏面層よりなる三層構造の洗浄用スポンジにおいて、前記中間層に洗浄剤容器の頭部を挿入するための挿入穴を設けたことを特徴とする洗浄用スポンジ。
【請求項２】
前記挿入穴の奥部に、前記洗浄剤容器の頭部を挟み込むためのスリットを設けた請求項１に記載の洗浄用スポンジ。
【請求項３】
前記表面層および裏面層に、前記挿入穴と連通するスリットを設けた請求項１又は２に記載の洗浄用スポンジ。
【請求項４】
外形を動物の顔の形状に模して形成した請求項１から３のいずれかに記載の洗浄用スポンジ。
【考案の詳細な説明】
【技術分野】
【０００１】
この考案は、食器や身体などを洗う際に用いる洗浄用スポンジに関する。
【背景技術】
【０００２】
従来から食器や身体などを洗う際に、洗浄剤の泡立ての便などの理由から洗浄用スポンジが用いられている。これらは衛生面を考慮すると雑菌の繁殖を防ぐため、使用後に十分に水切り、乾燥させなければならない。しかし従来の洗浄用スポンジは、使用後洗い場の隅などに載置されているのが通常であった。
【０００３】
このような場合、スポンジの裏面はぬれた洗い場と接触しているため水切りが完全でなく、また空気にさらされないため十分に乾燥させることができない問題があった。さらに、このような場合、置き場所を要するため洗い場が狭いと不便である問題があった。
【０００４】
また、従来の洗浄用スポンジは、ほぼブロック状の形態をしており、見た目の面白みに欠けているところ、デザイン文化の成熟に伴い洗浄用スポンジについても装飾的面白さを要請するような機運が高まっている問題もある。
【考案の開示】
【考案が解決しようとする課題】
【０００５】
そこでこの考案の解決すべき課題は、水切りや乾燥を十分に行うことができ衛生的に良好な、しかも置き場所を要さず便利であり、見た目も趣向に富んだ洗浄用スポンジを提供することである。
【課題を解決するための手段】
【０００６】
上記した課題を解決するため、この考案は少なくとも表面層、中間層、裏面層よりなる三層構造の洗浄用スポンジにおいて、前記中間層に洗浄剤容器の頭部を挿入するための挿入穴を設けたのである。
【０００７】
前記挿入穴の奥部に、前記洗浄剤容器の頭部を挟み込むためのスリットを設けるのが好ましい。また、前記表面層および裏面層に、前記挿入穴と連通するスリットを設けるのが好ましい。また、洗浄用スポンジの外形を動物の顔の形状に模して形成するのが好ましい。
【考案の効果】
【０００８】
洗浄用スポンジの中間層に、洗浄剤容器の頭部を挿入するための挿入穴を設けることにより、洗浄剤容器の頭部に洗浄用スポンジを被せて保持できるため、洗い場の床にスポンジが接触することがなく水切りや乾燥が十分に行えるので衛生的である。また、洗浄剤容器を載置したスペース内に収まるため、別途置き場所を確保する必要がなく便利である。
【０００９】
挿入穴の奥部に、洗浄剤容器の頭部を挟み込むためのスリットを設けることにより、スリットが頭部を挟み込んでスポンジを頭部上に安定して保持するため、スポンジが洗い場の床に落下することがなく、より確実に水切りや乾燥を実現できる。
【００１０】
また、表面層および裏面層に、挿入穴と連通するスリットを設けることにより、洗浄剤の頭部がポンプ式の場合も、ポンプのノズルをスリットに通すことができるのでノズルが邪魔にならず挿入穴の深部まで頭部を挿入することができ、スポンジが洗い場の床に落下するのを防止することができる。
【００１１】
さらに、外形を動物の顔の形状に模して形成することにより、デザイン的趣向を凝らした見た目の面白い洗浄用スポンジを提供することができる。
【考案を実施するための最良の形態】
【００１２】
以下、図面を参照しつつこの考案の実施形態について説明する。
【００１３】
図1は、この考案の第一の実施形態にかかる洗浄用スポンジ１０の斜視図である。この実施形態のスポンジ１０は食器洗いに用いられるものである。
【００１４】
図１のように、スポンジ１０全体は、カエルの顔を模した形状に打ち抜くことにより形成されている。また、スポンジ１０は表面層１１と中間層１２と裏面層１３の三層構造からなり、三層を積層接着することにより形成される。また、カエルの首にあたる部分には、三層を積層接着する前に中間層１２のみを打ち抜くことにより、穴１２ａが設けられている。さらに、穴１２ａの奥部には中間層１２に切り込みを入れることにより、図１および図３（ａ）のようにスリット１２ｂが設けられている。
【００１５】
ここで、スポンジ１０の表面層１１は、加熱加圧による脱膜処理を行った完全連続気泡のセルの大きな多孔質発泡体から形成されている。脱膜処理を行った多孔質発泡体は水切れがよく、連続気泡であるため泡立てやすいので食器洗い用として最適である。中間層１２と裏面層１３は通常の多孔質発泡体から形成されている。
【００１６】
図２は、食器洗剤容器２０の頭部２１をスポンジ１０の穴１２ａに挿入した図である。このようにしてスポンジ１０を食器洗剤容器２０上に保持することにより、台所上にスポンジ１０が接触することがなく水切りや乾燥が十分に行えるので衛生的である。また、食器洗剤容器２０を載置したスペース内にスポンジ１０が収まるため、調理の際などに邪魔になることなく便利である。  
【００１７】
図２および図３（ｂ）のように、穴１２ａの奥部に設けられたスリット１２ｂが、頭部２１の先端を挟み込むため安定して保持することができ、スポンジ１０が洗い場の床に落下することがなく、より確実に水切りや乾燥を実現できる。
【００１８】
図２のように、スポンジ１０と食器洗剤容器２０とが一体となることで、スポンジ１０がカエルの頭となり、食器洗剤容器２０がカエルの体となり、見た目が愛くるしく装飾的面白みにあふれたものとなる。
【００１９】
図４は、この考案の第二の実施形態にかかる洗浄用スポンジ４０の斜視図である。この実施形態のスポンジ４０は体洗いに用いられるものである。  
【００２０】
図４のように、スポンジ４０全体は、ヒヨコの顔を模した形状に打ち抜くことにより形成されている。第一の実施形態と同じくスポンジ４０は表面層４１と中間層４２と裏面層４３の三層構造からなり。三層を積層接着することにより形成される。また同様に、ヒヨコの首にあたる部分には、積層接着する前に中間層４２のみを打ちぬくことにより、穴４２ａが設けられている。この実施形態のスポンジ４０においては、表面層４１および裏面層４３に、穴４２ａと連通するスリット４１ａ，４３ａが両層に切り込みを入れることにより設けられている。
【００２１】
ここで、スポンジ４０の表面層４１は、セルの大きさが不均一の擬似海綿状多孔質発泡体から形成されている。擬似海綿状多孔質発泡体は、発泡剤中にシリコンを混入することにより形成される。このような多孔質発泡体は肌に優しく、泡立ちも豊かで体洗いに最適である。なお、この実施形態では、中間層４２と裏面層４３は通常の多孔質発泡体から形成されている。
【００２２】
図５は、ボディソープ容器５０の頭部５１をスポンジ４０の穴４２ａに挿入した図である。このようにしてスポンジ４０をボディソープ容器５０上に保持することにより、浴場上にスポンジ４０が接触することがなく水切りや乾燥が十分に行えるので衛生的である。また、ボディソープ容器５０を載置したスペース内にスポンジ４０が収まるため、体を流す際などに邪魔になることなく便利である。
【００２３】
図５に示すように、頭部５１を穴４２ａに挿入する際に、頭部５１のノズル５１ａは、スリット４１ａ，４３ａを通すことができるため、邪魔になることがない。そのため、頭部５１を穴４２ａの深部まで挿入することができ、スポンジ４０が浴場の床に落下するのを確実に防止することができる。
【００２４】
図５のように、スポンジ４０とボティソープ容器５０とが一体となることで、スポンジ４０がヒヨコの顔となり、ボディソープ容器５０のノズル５１ａがヒヨコのくちばしとなり、容器５０本体がヒヨコの体となり、見た目が愛くるしく装飾的面白みにあふれたものとなる。
【００２５】
上記した各実施形態では、食器洗い用および身体洗い用を例に挙げたがこれらに限られず、洗顔用、窓拭き用、床拭き用などさまざまな用途に適用することができる。
【００２６】
また、上記した各実施形態では、洗浄用スポンジ１０，４０の外形をカエルやヒヨコの顔を模した形状に形成しているが、これらに限られずクマなどの他の動物の顔や、花形、魚形、星形などさまざまな形状に形成することができる。
【００２７】
また、上記した各実施形態では、洗浄用スポンジ１０，４０を三層構造としたがこれに限られず表面層１１、４１と中間層１２、４２との間や裏面層１３、４３と中間層１２、４２の間のいずれかもしくはいずれもにさらに一層設けて四層構造あるいは五層構造に形成してもよい。
【００２８】
さらに、上記した各実施形態では、洗浄用スポンジ１０、４０は多孔質発泡体のみから形成されているがこれに限られず、用途に応じて不織布など種々の素材を用いることができる。
【図面の簡単な説明】
【００２９】
【図１】第一の実施形態かかるスポンジの斜視図
【図２】食器洗剤容器頭部にスポンジを保持した図
【図３】（ａ）はスポンジの縦断面図、（ｂ）はスポンジに食器洗剤容器頭部を挿入し    た場合の縦断面図
【図４】第二の実施形態にかかるスポンジの斜視図
【図５】ボディソープ容器頭部にスポンジを保持した図
【符号の説明】
【００３０】
１０  洗浄用スポンジ
１１  表面層
１２  中間層
１２ａ  穴  
１２ｂ  スリット
１３  裏面層
２０  食器洗剤容器
２１  頭部
４０  洗浄用スポンジ
４１  表面層
４１ａ  スリット
４２  中間層
４２ａ  穴
４３  裏面層
４３ａ  スリット
５０  ボディソープ容器
５１  頭部
５１ａ  ノズル
【図１】
0003108377.tif 000003
【図２】
0003108377.tif 000004
【図３】
0003108377.tif 000005
【図４】
0003108377.tif 000006
【図５】
0003108377.tif 000007